(57)【特許請求の範囲】
【請求項１】
スラブ用型枠１上に中空型枠２を並列に配設し、その中空型枠２を前記スラブ用型枠１に固定の支持具で固定した中空コンクリート床板用埋設中空型枠固定構造において、
上記支持具は、上記中空型枠２にその一側外面から上外面を通り他の側外面に圧接してその両端が上記スラブ用型枠１に固定された押え用帯状体１０から成り、隣接する中空型枠２、２の各支持具間にはその両帯状体１０に亘るシャフト１４が渡され、上記押え用帯状体１０にカラー１２を設けるとともに、そのカラー１２に、前記シャフト１４をその長さ方向に移動可能に貫通させ、カラー１２にはビス１５をシャフト１４に圧接可能にねじ込んで、そのシャフト１４と帯状体１０はシャフト１４がその長さ方向に移動可能でかつその任意の移動位置で固定可能に係止していることを特徴とする中空コンクリート床板用埋設中空型枠固定構造。
【発明の詳細な説明】
【０００１】
【発明の属する技術分野】
この発明は、中空コンクリート床板（ボイドスラブ）を構築する際の埋設中空型枠の固定構造に関するものである。
【０００２】
【従来の技術】
軽量コンクリート床板として、コンクリート中に中空管などの中空型枠を埋設した中空コンクリート床板が多く採用されており、その構成は、この発明の一実施例を示す図１、図２を参照して説明すると、スラブ用型枠１上に円筒中空管などの中空型枠２を配置してその間にコンクリートＣを打設して中空部Ｐを形成するものである。
【０００３】
この構成において、中空型枠２はスラブ用型枠１との間に所定の隙間ｔ（下被り）を設けるため、受台（バンド４）を介して載置され、この受台を種々の手段により、スラブ用型枠１に固着するとともに、中空型枠２を上面から番線（バンド１０）などを用いて固定することにより、コンクリート打設時に生じる中空型枠２の浮き上りを防止するようになっている。
【０００４】
しかし、各中空型枠２の間にコンクリートＣを流し込むと、コンクリートＣの衝突によって、中空型枠２に横方向の移動が生じる場合があり、動けば中空型枠２の間隔のバラ付きが生じ、中空部Ｐの配設精度が低下し、スラブ設計上の問題が生じる場合がある。
【０００５】
このため、従来では、図６に示すように、押えバンド１０に丸棒鋼などの鉄筋２０を直接に溶接ａする手段がある。また、図７に示すように、両端にフック２０ａを有する鉄筋２０を押えバンド１０に係止する手段もある。これらによれば、中空型枠２の横への動きを鉄筋２０によって阻止することができる。
【０００６】
【発明が解決しようとする課題】
しかしながら、前者の手段は、一旦、溶接固定した後に、中空型枠２の再間隔調整をしようとすると、溶接部ａを外さなければならず、そのため、多大な労力を要するとともに、更に作業条件の悪い現場に溶接装置の持ち込みを必要とする。
【０００７】
また、後者の手段は、中空型枠２の各間隔ごとに鉄筋２０を用意しなくてはならず、さらに、再間隔調整が実質的に不可能であるうえに、フックの係止のため、外れ易く、外れれば、移動を阻止し得ない。
【０００８】
この発明は、中空型枠の間隔調整とその間隔の再調整を可能とすることを課題とする。
【０００９】
【課題を解決するための手段】
上記課題を解決するために、この発明は、中空型枠をスラブ型枠に固定する帯状体をシャフトで連結し、そのシャフトと帯状体はシャフトがその長さ方向に移動可能でかつその任意の移動位置で固定可能に係止するようにしたのである。中空型枠には発泡樹脂製などの中実でも実質的に中空状でボイドとなり得るものも含む。
【００１０】
シャフトを帯状体に対し移動して、各中空型枠間の長さに対応させ、その対応した状態で固定し、シャフトでもって隣接する中空型枠を一体化する。この一体化によりコンクリート打設時の中空型枠の横移動が阻止される。中空型枠間の再調整時には、固定をゆるめて、シャフトを再移動させ、所要の位置で固定する。
【００１１】
【発明の実施の形態】
この発明の実施の形態としては、スラブ用型枠上に中空型枠を並列に配設し、その中空型枠を前記スラブ用型枠に固定の支持具で固定した中空コンクリート床板用埋設中空型枠固定構造において、前記支持具は、前記中空型枠にその一側外面から上外面を通り他の側外面に圧接してその両端が上記スラブ用型枠に固定された押え用帯状体から成り、隣接する中空型枠の各支持具間にはその両帯状体に亘るシャフトが渡され、そのシャフトと帯状体はシャフトがその長さ方向に移動可能で、かつその任意の移動位置で固定可能に係止している構成を採用し得る。
【００１２】
この構成は、実開平６−８２２９６号公報記載技術などのように上記支持具のみによって、中空型枠の位置決め及び浮き上がりを防止するものの外、実開昭６２−４２６４４号公報、特開平９−２０３２０５号公報記載技術などのように、中空型枠用受台を有するものに採用し得る。
【００１３】
しかし、後述の実施例のごとく、上記支持具に上記中空型枠にその一側外面から下外面を通り他の側外面に圧接する受台用帯状体を付加し、上記押え用帯状体とその受台用帯状体の両端を固定するとともに、その固定部を支持杆により上記スラブ用型枠に固定したものにあっては、支持杆がスラブ用型枠から抜けるなどによって、中空型枠が動く可能性があり、シャフトの連結による一体化は、その支持杆の抜けを有効に阻止するなどの利点がある。
【００１４】
上記シャフトと押え用帯状体との係止構造は、例えば、前記押え用帯状体にカラーを設けるとともに、そのカラーに前記シャフトを移動可能に貫通させ、カラーにはビスをシャフトに圧接可能にねじ込んだ構成を採用し得る。ビスを弛めれば、シャフトは動くことができ、ビスを締め付ければ、シャフトは動き得なくなって、中空型枠間は一定化する。
【００１５】
【実施例】
図１乃至図４に一実施例を示し、図において、１はコンクリート床板（打設）用スラブ型枠、２はスラブ型枠１上に受台（受金具）３を介して並列に配設される円筒型枠（中空型枠）で、スラブ型枠１との間に所定の隙間ｔを有する。型枠２は、パイプなどの円筒状のものや、角筒状のもの、さらには発泡スチロールなどの合成樹脂製の中実状のものを用いてもよい。
【００１６】
受金具３は、円筒型枠２を略下半部から支持する略半円状の下部帯状バンド（受台用帯状体）４と、その帯状バンド４の両端に設けた（形成した）フランジ５に固定したナット６と螺合して上下方向に位置決めされる受金具支持ボルト７とからなる。８は支持ボルト７の下端に設けた台座である。９は円筒型枠２の略上半部を被嵌する浮力押え金具で、この金具９は略半円状の上部帯状バンド（押え用帯状体）１０からなり、その両端側に支持ボルト７の挿通が可能な金具（スリーブ）１１が溶接などにより固定されている。
【００１７】
また、上部帯状バンド１０の頂部には円筒状の振れ止めカラー１２が２個並列して溶接などで固定される。カラー１２には内方に向くめねじ１３が形成されている。１４は、並列する浮力押え金具９のカラー１２間に挿入して架け渡す振れ止めシャフト、１５は止めビスである。
【００１８】
この実施例は、以上の構成であり、つぎに、その組立て作用を説明すると、スラブ型枠１上に円筒型枠２を所定の間隔をもって受台３を介して配設する。すなわち、支持ボルト７の台座８を型枠１上に固定すると、下部帯状バンド４はスラブ型枠１から浮いた状態となり、この状態で受台３の下部帯状バンド４の上に円筒型枠２を載せる。このとき、支持ボルト７は台座８を介して型枠１へ、釘打ち、ボルト止めなどの種々の固定手段により固定する。
【００１９】
次いで、円筒型枠２を浮力押え金具９で固定する。すなわち、浮力押え金具９のスリーブ１１を支持ボルト７に挿通して上部帯状バンド１０をそのスリーブ１１を介してフランジ５に着座させ、支持ボルト７にナット１６をねじ込む。これによって、円筒型枠２は受台３と押え金具９により確実に固定される。さらに、振れ止めシャフト１４を、一側の浮力押え金具９のカラー１２に挿入するとともに、他側（隣り）の浮力押え金具９のカラー１２に挿し込んで、両カラー１２、１２間に架け渡す。シャフト１４が両カラー１２、１２間をまたいだ状態で、カラー１２のめねじ１３に止めビス１５をねじ込んでシャフト１４を固定する。これによって、円筒型枠２はシャフト１４、浮力押え金具９を介して固定され、その間隔が一定となる。
【００２０】
このようにして、各円筒型枠２を型枠１上に配設固定した状態で、該型枠１上にコンクリートＣを打設して円筒型枠２がコンクリートＣ中に埋設されたコンクリート床板（コンクリートスラブ）を構築する。
【００２１】
このとき、円筒型枠２はコンクリート打設時のコンクリートＣの衝突による横移動が確実に防止されて一定の間隔が保持される。これにより、円筒型枠２の配設精度が著しく向上する。また、円筒型枠２の振れ止め作業が、シャフト１４をカラー１２に挿通後、止めビス１５で固定するだけで、溶接を要しないことから、容易かつ高能率となる。さらに、固定能力もアップし、信頼性の高いものである。
【００２２】
また、円筒型枠２を一旦型枠１上に配設固定した後に再調整、例えば、円筒型枠２の間隔を変更する場合にあっては、止めビス１５を緩めるだけで、簡単に行うことができるため、その作業のための労力が大巾に低減される。
【００２３】
上記実施例では浮力押え金具９の頂部に振れ止めカラー１２を２個並設した例を示した。この場合、シャフト１４の長さは隣接する円筒型枠２の間隔より少し長いものを用いて、隣接する円筒型枠２、２同士を連結するようにした。これは、前記円筒型枠２とさらに隣接する円筒型枠との他の１個のカラーを用いてシャフトで連結するためである。したがって、図５に示すように、長いシャフト１４を用い、振れ止めカラー１２に順次挿通するようにすれば、カラー１２は１個だけでもよい。
【００２４】
なお、中空コンクリート床板を構築するに当り、図示省略したが、円筒型枠２の配設の前後において常法により鉄筋が配筋され補強される。
【００２５】
【発明の効果】
この発明は、以上のようにしたので、中空型枠の間隔調整とその間隔の再調整が可能であるとともに、コンクリート打設時の中空型枠の横移動を防止し得る。
【図面の簡単な説明】
【図１】一実施例の要部断面図
【図２】同実施例の要部概略斜視図
【図３】図２の要部拡大図
【図４】図２の要部拡大断面図
【図５】他の実施例の要部概略斜視図
【図６】従来例の要部斜視図
【図７】従来例の要部斜視図
【符号の説明】
１  コンクリート床板用型枠（スラブ型枠）
２  円筒型枠（中空型枠）
３  受台（受金具）
４  下部帯状バンド（受台用帯状体）
５  フランジ
６  ナット
７  支持ボルト
８  台座
９  浮力押え金具
１０  上部帯状バンド（押え用帯状体）
１１  金具（スリーブ）
１２  振れ止めカラー
１３  めねじ
１４  連結シャフト（振れ止めシャフト）
１５  止めビス
Ｃ  コンクリート
Ｐ  中空部
【図１】
0003673162.tif 000002
【図２】
0003673162.tif 000003
【図３】
0003673162.tif 000004
【図４】
0003673162.tif 000005
【図５】
0003673162.tif 000006
【図６】
0003673162.tif 000007
【図７】
0003673162.tif 000008